(57)【特許請求の範囲】
【請求項１】
タックルされるようにしたダミー要素と、接地スレッドとを備え、前記ダミー要素を解放可能な連結手段により前記接地スレッドに解放可能に連結するようにしたタックル練習装置であって、
タックルされるプレーヤーが前記競技エリアを移動することをシミュレートするべく前記接地スレッド及び前記ダミー要素を競技エリアで引くために、前記接地スレッドが原動手段に結合され、
前記ダミー要素が、前記ダミー要素の重心を比較的低くするために、重くするようにされたベース要素を有し、
前記ダミー要素が、タックルされたときに前記接地スレッドから離れることができるように前記接地スレッドに解放可能に連結可能であるタックル練習装置。
【請求項２】
前記ダミー要素が、使用時に直立方向に延長するようにした細長い要素を有する請求項１に記載の装置。
【請求項３】
前記ダミー要素が可膨張式になっている請求項１又は２に記載の装置。
【請求項４】
前記ダミー要素へのタックルが正しいタックルであることを示すように表示手段が作動する請求項１乃至３のいずれかに記載の装置。
【請求項５】
前記表示手段が、正しいタックルに応答して排出される空気により作動する笛からなる請求項４に記載の装置。
【請求項６】
前記ベース要素が可膨張式第１ベースブラダーを有する請求項１乃至５のいずれかに記載の装置。
【請求項７】
前記可膨張式第１ベースブラダーが液体で膨張可能になっている請求項６に記載の装置。
【請求項８】
前記連結手段が引掛部と小環部とからなる請求項１乃至７のいずれかに記載の装置。
【請求項９】
前記接地スレッドが可膨張式接地ブラダーを有する請求項１乃至８のいずれかに記載の装置。
【請求項１０】
前記接地スレッドの前記可膨張式接地ブラダーが環形を画定している請求項９に記載の装置。
【請求項１１】
前記接地ブラダーが空気で膨張させるようになっている請求項９又は１０に記載の装置。
【請求項１２】
リガチャーが前記接地スレッドに連結され、前記接地スレッドから前記接地スレッドを前記原動手段に連結するために延長し、
前記リガチャーがロープからなり、その末端が前記原動手段に解放可能に連結するためのハーネスである請求項１乃至１１のいずれかに記載の装置。
【発明の詳細な説明】
【技術分野】
【０００１】
本発明は、タックル練習装置に関し、特にコンタクトスポーツの練習、例えばラグビーの練習をする際に使用するためのタックル練習装置に関する。また本発明は、コンタクトスポーツにおいてタックルを練習する、例えばラグビーを練習する際にタックルを練習するための方法に関する。また本発明は、ランニング及びスプリント走の訓練において使用するためのスレッド、並びに人がランニング又はスプリント走を訓練するための方法に関する。
【背景技術】
【０００２】
コンタクトスポーツで相手チームのプレーヤーにタックルする能力は、多くのコンタクトスポーツにおいて重要である。例えば、ラグビーの試合において、相手チームのプレーヤーに良いタックルをすることは、試合に勝つ又は負けるという差を生じさせる場合がある。従って、コンタクトスポーツにおいて相手チームのプレーヤーにタックルすることが重要な部分であるスポーツのプレーヤーが、そのようなタックルを行う上で十分訓練されていることは重要である。
【０００３】
一般にタックルの練習は、タックルされる標的として人間を用いて行われている。タックルの標的の役割を担う人間は、練習するタックルの種類によって、プレーヤーに向かって、プレーヤーから離れるように、又はプレーヤーの進路を横切って走る。このとき、プレーヤーは標的の人間をタックルする。
【発明の概要】
【発明が解決しようとする課題】
【０００４】
これは、このようなタックル練習において、人であるタックル標的が怪我をする可能性があることから望ましくない。更に、タックルするプレーヤーもまた、怪我をする可能性がある。そこで、この問題を解消する装置が必要である。
【０００５】
本発明はタックル練習装置を提供することを目的とし、また本発明は、コンタクトスポーツにおいてタックルを練習するための方法を提供することを目的とする。また、本発明は、ランニング又はスプリント走の練習で使用するためのスレッド、及び人がランニング又はスプリント走を訓練するための方法を提供することを目的とする。
【課題を解決するための手段】
【０００６】
本発明によれば、タックルされるようにしたダミー要素と、該ダミー要素を競技エリアで引いて、該競技エリアを移動するプレーヤーを装うために、ダミー要素を原動手段に解放可能に結合するための結合手段とを備えるタックル練習装置が提供される。
【０００７】
好ましくは、ダミー要素が、使用時に直立方向に延長するようにした細長い要素を有する。ダミー要素が膨張可能になっていると、有利である。理想的には、ダミー要素が、該ダミー要素を通って長手方向上向きに延長する細長い可膨張式中央ブラダー（bladder：袋状体）を有する。
【０００８】
本発明の或る実施例では、中央ブラダーが円形横断面を有する。
【０００９】
本発明の別の実施例では、中央ブラダーが実質的にダミー要素の長さに亘って延長している。
【００１０】
好ましくは、少なくとも１つの可膨張式周辺ブラダーが中央ブラダーの周囲を延長している。中央ブラターの周囲に複数の周辺ブラダーが延長していると、有利である。理想的には、隣接する周辺ブラダー同士が互いに当接している。好ましくは、各周辺ブラダーが中央ブラダーの全周に亘って延長している。各周辺ブラダーが環形を画定していると、有利である。
【００１１】
好ましくは、周辺ブラダーが互いに独立して膨張可能である。各周辺ブラダーが中央ブラダーから独立して膨張可能であると、有利である。
【００１２】
本発明の或る実施例では、周辺ブラダーが中央ブラダーに、概ね腰の高さ位置から下方に中央ブラダーに沿って配置されている。好ましくは、周辺ブラダーが腰の高さから下側で、対象となる人を実質的に表している。
【００１３】
本発明の別の実施例では、ダミー要素が正しいタックルを受けたときに、表示手段が作動して、ダミー要素へのタックルが正しいタックルであることを示すように、中央ブラダー及び少なくとも１つの周辺ブラダーのうちの１つが構成されている。好ましくは、表示手段が、正しいタックルに応答して、中央ブラダー及び周辺ブラダーの１つから排出される空気で作動する笛を有する。
【００１４】
本発明の別の実施例では、笛が中央ブラダーから排出される空気に応答する。
【００１５】
本発明の更に別の実施例では、笛が周辺ブラダーから排出される空気に応答する。
【００１６】
好ましくは、笛が、それが応答する中央ブラダー及び周辺ブラダーの１つに連通している。笛が、それが応答する中央ブラダー及び周辺ブラダーの１つに、高圧リリーフバルブを介して連通していると、有利である。
【００１７】
本発明の別の実施例では、周辺ブラダーよりも上に上部ブラダーが設けられ、上部ブラダーが、対象となる人の上部胴体を実質的に表している。好ましくは、上部ブラダーが対象となる人間の頭部を実質的に表している。
【００１８】
本発明の別の実施例では、１対の上部ブラダーが設けられ、一方の上部ブラダーが対象となる人の上部胴体を表し、他方の上部ブラダーが対象となる人の頭部を表している。
【００１９】
本発明の更に別の実施例では、中央ブラダーが各周辺ブラダーの中を延長している。好ましくは、中央ブラダーが実質的に各上部ブラダーの中心を延長している。各上部ブラダーが中央ブラダーの周囲を延長する環体を画定していると、有利である。好ましくは、上部ブラダーが互いに独立して膨張可能である。各上部ブラダーが中央ブラダーから独立して膨張可能であると、有利である。理想的には、各上部ブラダーが空気で膨張させるようになっている。
【００２０】
本発明の変形例では、中央ブラダーが腰の高さ位置まで上方に延長し、該腰の高さ位置で終わっている。
【００２１】
本発明の別の実施例では、ダミー要素がベース要素を有する。好ましくは、中央ブラダーがベース要素から上方に延長している。
【００２２】
本発明の或る実施例では、ベース要素が、前記ダミー要素の重心を比較的低くするために、重くするようになっている。
【００２３】
本発明の別の実施例では、ベース要素が可膨張式第１ベースブラダーを有する。第１ベースブラダーが液体で膨張可能になっていると、有利である。
【００２４】
本発明の別の実施例では、ベース要素が、第１ベースブラダーより上に配置された可膨張式第２ベースブラダーを有する。好ましくは、第２ベースブラダーが空気で膨張させるようになっている。
【００２５】
好ましくは、各周辺ブラダーが空気で膨張させるようになっている。中央ブラダーが空気で膨張させるようになっていると、有利である。
【００２６】
本発明の或る実施例では、結合手段が接地スレッドを有し、ダミー要素がスレッドに連結するようになっている。好ましくは、ダミー要素がスレッドに解放可能に連結されるようになっている。ダミー要素が連結手段によってスレッドに連結可能であると、有利である。理想的には、連結手段が解放可能な連結手段である。
【００２７】
本発明の或る実施例では、連結手段が引掛部と小環部とからなる。
【００２８】
本発明の別の実施例では、スレッドが可膨張式接地ブラダーを有する。好ましくは、スレッドの接地ブラダーが環体を画定している。好ましくは、接地ブラダーが空気で膨張させるようになっている。リガチャーがスレッドに連結され、そこからスレッドを原動手段に連結するために延長していると、有利である。理想的には、リガチャーがロープからなる。好ましくは、リガチャーの末端が、原動手段に連結するためのハーネスである。好ましくは、ハーネスが原動手段に解放可能に連結するようになっている。ハーネスが人間に連結するようになっていると、有利である。
【００２９】
また本発明によれば、コンタクトスポーツでタックルを練習するための方法であって、タックルされるようにしたダミー要素を準備し、かつダミー要素を原動手段に解放可能に連結し、競技エリアでダミー要素を原動手段により引っ張り、ダミー要素が競技エリアで引っ張られている際にダミー要素をタックルする過程を含む方法が提供される。
【００３０】
好ましくは、本発明によるタックル練習装置を提供する過程を更に含み、ダミー要素がタックル練習装置のダミー要素である。
【００３１】
前記結合手段が、人間により提供される原動手段にダミー要素を結合すると、有利である。
【００３２】
また本発明によれば、スレッドであって、バラスト媒体を収容するための中空内部領域を画定する可膨張式接地要素と、スレッドをそれを引っ張る人に結合するための結合手段とを備えるスレッドが提供される。
【００３３】
好ましくは、中空内部領域が液体のバラスト媒体を受け入れるようになっている。中空内部領域がバラスト媒体として水を受け入れるようになっていると、有利である。
【００３４】
本発明の或る実施例では、中空内部領域によって、バラスト媒体を受け入れるための第１チャンバーと、膨張媒体を受け入れるための第２チャンバーとが画定されている。好ましくは、第２チャンバーが第１チャンバーの上に配置されている。
【００３５】
本発明の別の実施例では、可膨張式接地要素が、環状中空内部領域を画定する円環体の形態をなしている。
【００３６】
好ましくは、中空内部領域内のバラスト媒体の量を表示するための表示手段が設けられている。中空内部領域内のバラスト媒体の量を表示するための表示手段がゲージからなると、有利である。理想的には、前記ゲージが、可膨張式接地要素に形成された、目盛りを有する透明窓からなる。
【００３７】
本発明の或る実施例では、結合手段が接地要素から延長するリガチャーを有する。好ましくは、結合手段が、人に連結するためのハーネスを有する。ハーネスがリガチャーによって接地要素に結合されると、有利である。理想的には、ハーネスが人の腰に固定されるようになっている。
【００３８】
本発明の或る実施例では、スレッドが、人がランニングを訓練する際に使用するようになっている。
【００３９】
本発明の更に別の実施例では、スレッドが、人がスプリント走を訓練する際に使用するようになっている。
【００４０】
更に、本発明によれば、人がランニングを訓練するための方法であって、本発明によるスレッドを、接地要素を少なくともバラスト媒体で膨張させた状態で結合手段によって人に取り付け、該人を、その後にスレッドを引きずりかつ接地要素が地面に接触した状態で走らせる過程を含む方法が提供される。
【００４１】
本発明の或る実施例では、中空内部領域内のバラスト媒体がトレーニングの段階と段階の間で選択的に調整される。
【００４２】
本発明の別の実施例では、人がスプリント走を訓練するための方法である。
【発明の効果】
【００４３】
本発明には多くの利点がある。前記タックル練習装置の提供によって、人間がタックルの標的としての役割を果たす必要がなくなり、それによって、そのようなタックル標的である人がもはや負傷することが起こらなくなる。本発明の更なる利点は、タックル練習装置がダミー要素を備えるということのおかげで、タックルを練習する人が負傷する虞もまた減少することである。ダミー要素を解放可能に原動手段に結合するための結合手段を設けることによって、一般にタックルを受ける際に、ダミー要素が結合手段又は原動手段から外れることによって、タックルをするプレーヤーの怪我の可能性が比較的低くなる。更に、ダミー要素が結合手段又は原動手段から外れることのおかげで、原動手段が人間であるとき、ダミー要素へのタックルの際に原動手段としての役割を果たす人には、タックルされるダミー要素が人間から外れるので、危険が無い。
【００４４】
ダミー要素を可膨張式要素として提供することによって、タックルを練習する人が受ける怪我の危険性は、膨張したダミー要素が弾性を有し、従ってタックルを練習する人が受ける怪我の危険性が最小になるので、更に小さくなる。正しいタックルを表す表示手段を提供することによって、プレーヤーがタックルしたときに、タックルが正しいタックルであったかそうでなかったかということが直ぐに分かる、という更なる利点がある。
【００４５】
本発明の更なる利点は、ダミー要素及びスレッドを可膨張式要素とすることによって、前記装置は収縮させた状態で、占める空間が比較的狭く、必要な場合に空気及び水で適当に膨張させ得るように収納することができる。
【００４６】
本発明の特に重要な利点は、従来知られたタイプの固定式練習器具に対して、移動するタックル練習用ダミー要素が提供されることである。本発明によるタックル練習装置によって、競技場を引きずられるダミー要素が移動要素であり、従ってラグビーの試合のような試合の際にプレーヤーが体験するであろう実際の状況を本質的にシミュレートすることから、より実際的に練習することが可能になる。ダミー要素を人間の形で提供することによって、本発明によるタックル練習装置は、器具の信頼性・確実性が更に向上する。本発明は、ダミー要素を人が膝を僅かに曲げた姿勢の形にすることによって、タックルの練習の際にプレーヤーがその頭をダミー要素に関して正確にどの位置を配置するかを知る助けとなるので、更なる利点が提供される。
【００４７】
人をランニング又はスプリント走で訓練する際に使用するためのスレッドを提供することの利点は多い。スレッドが可膨張式接地要素を有することのおかげで、使用しないときのスレッドは、収納のために収縮させて折り畳むことができる。このスレッドは、次にバラスト媒体及び／又は空気で再膨張させることができる。
【００４８】
第１及び第２チャンバーに分割された中空内部領域を有する接地要素を設けることによって、中空内部領域にバラスト媒体及び空気を独立して充填することが容易になる。接地要素が液体のバラスト媒体、例えば水を充填するようになっていることによって、接地要素内のバラスト媒体の体積を、同様に重量を変更することが容易であり、それによって、訓練の段階において、又は訓練の段階と段階との間で、異なる個人を訓練するためにスレッドを使用しようとする場合に、接地要素内のバラスト媒体の量を容易に変更することができる。
【図面の簡単な説明】
【００４９】
【図１】図１は、本発明によるタックル練習装置の使用時の斜視図である。
【図２】図２は、図１のタックル練習装置の正面断面図である。
【図３】図３は、図１のタックル練習装置の側面断面図である。
【図４】図４は、図１のタックル練習装置の一部分の正面断面図である。
【図５】図５は、図１のタックル練習装置の図４の部分の側面断面図である。
【図６】図６は、図１のタックル練習装置の別の部分の上面図である。
【図７】図７は、図１のタックル練習装置の図６の部分の一部分の側面図である。
【図８】図８は、図１のタックル練習装置の細部の拡大断面図である。
【図９】図９は、本発明の別の実施例によるタックル練習装置の正面断面図である。
【図１０】図１０は、図９のタックル練習装置の側面断面図である。
【図１１】図１１は、図９のタックル練習装置の一部分の正面断面図である。
【図１２】図１２は、図９のタックル練習装置の図１１の部分の側面断面図である。
【図１３】図１３は、本発明の別の実施例によるタックル練習装置の一部分の正面図である。
【図１４】図１４は、図１３のタックル練習装置の図１３の部分の側面図である。
【図１５】図１５は、本発明によるスレッドの上面図である。
【図１６】図１６は、図１５のスレッドの側面図である。
【図１７】図１７は、図１５のXVII−XVII線における図１５のスレッドの側面断面図である。
【発明を実施するための形態】
【００５０】
本発明は、添付図面を参照しつつ、その単なる実施例として記載されるいくつかの好適な実施態様の説明から、より明確に理解することができる。
【００５１】
添付図面を参照すると最初に図１乃至図８には、例えばラグビーの練習の際にタックルの練習で使用するための、全体として参照符号１で表示される本発明によるタックル練習装置が記載されている。装置１は、タックルするのに適しており、かつ結合手段即ち接地スレッド４に解放可能に連結可能で、タックルされたときにスレッド４から離れることができるようにしたダミー要素３を備える。本発明のこの実施例ではロープ５であるリガチャーが、競技場でスレッド４を、従ってダミー要素３を引っ張る、本発明のこの実施例では人間である原動手段に解放可能に連結可能にしたハーネス６に、スレッド４を連結している。タックルを練習したいプレーヤーは、競技場で引っ張られているダミー要素３にタックルする。
【００５２】
ダミー要素３は、柔軟なプラスチックシート材料の可膨張式要素であり、膝を少し曲げた姿勢の人間を表す形に形成されている。ダミー要素３の大きさは、実質的に一般的なラグビー選手に類似している。細長い可膨張式中央ブラダー７が、ダミー要素３の中を可膨張式ベース要素９から上方に延長して、以下に説明するように、ダミー要素３に適正な程度の強剛性を与えるために中央ブラダー７を空気で膨張させたときに比較的強固な中央ブラダー３を形成する。複数の、本発明のこの実施例では４つの当接する可膨張式周辺ブラダー、即ち２つの下部周辺ブラダー１０と２つの上部周辺ブラダー１３とが、中央ブラダー７の周囲を全周に亘って延長し、それにより環形体を形成している。下部及び上部周辺ブラダー１０，１３は、互いに独立してかつ中央ブラダー７から独立して、それぞれの給入（inflating）ポート１１を介して空気で膨張させることができる。中央ブラダー７を空気で膨張させるために、給入（inflating）ポート１２が設けられている。２つの下部周辺ブラダー１０がダミー要素３の腰の高さ位置１４より下に配置され、対象となる人の腰より下側を表したものを形成している。２つの上部周辺ブラダー１３はダミー要素３の腰の高さ位置１４より上に配置され、これら２つの上部周辺ブラダー１３の下側のものが、対象となる人の上部胴体を表したものを形成し、それら２つの上部周辺ブラダー１３の上側のものが、対象となる人の頭部を表したものを形成している。
【００５３】
ベース要素９は、可膨張式第１ベースブラダー１５と、可膨張式第１ベースブラダー１５より上に配置されて、それから上方に中央ブラダー７が延長する可膨張式第２ベースブラダー１６とを有する。第２ベースブラダー１６は、中央ブラダー７並びに上部及び下部周辺ブラダー１０，１３から独立して、給入（inflating）ポート１８を介して空気で膨張させることができる。第１ベースブラダー１５は、給入（inflating）ポート２０を介して液体、即ち水で膨張させて、ダミー要素３をバラストで安定させ、かつダミー要素３の重心を比較的低くするようになっている。
【００５４】
スレッド４は、給入（inflating）ポート２２を介して空気で膨張させることができかつ環形を画定する柔軟なプラスチックシート材料の可膨張式接地リング２１を備える。本発明のこの実施例ではＶＥＬＣＲＯの商標で販売されているタイプの引掛部即ちフック２３と小環部２４とにより提供される解放可能な連結手段が、ダミー要素３がタックルされると直ぐに可膨張式リング２１から離れるように、ダミー要素３を可膨張式リング２１に解放可能に連結している。特に図６を参照すると、フック２３は、可膨張式リング２１の周囲を延長する環状パッド２５上に設けられ、小環部２４は、ベースブラダー１５の周囲を延長する環状パッド２６上に設けられている。
【００５５】
可膨張式リング２１に固定されたバンド２７がロープ５に連結され、これが次に、ダミー要素３が解放可能に取り付けられたスレッド４を引く人にスレッド４を連結するために、ハーネス６に連結されている。ハーネス６は、前記人の腰の周りに解放可能に連結し得るベルト２８によって提供される。
【００５６】
本発明のこの実施例では、中央ブラダー７の下部２９の直径が上部３０より大きいように、中央ブラダー７が形成されている。中央ブラダー７の下部２９に隣接する２つの下部周辺ブラダー１０は、ダミー要素３をタックルする人が中央ブラダー７の下部２９に隣接する２つの下部周辺ブラター１０の周囲でダミー要素３を掴んだときに、中央ブラダー７の給入ポート１２に配置された笛３１が作動して、ダミー要素３が正しい位置で、別言すればダミー要素３の腰の高さ位置１４の下側で正しくタックルされていることを示す表示手段として機能するように、中央ブラダー７の下部２９に関して構成されている。中央ブラダー７の下部２９の直径を上部３０の直径より大きくすることによって、隣接する２つの下部周辺ブラダー１０の周囲でダミー要素３を掴むことは、中央ブラダー７内の空気の圧力を増加させて、笛３１を鳴らすために或る量の空気を中央ブラダー３１から笛３１を通して排出させるのに十分である。高圧リリーフバルブ３２が、前記中央ブラダーの上部３０内の笛３１の上流側に配置され、ダミー要素３が下部周辺ブラダー１０の周囲に正しくタックルされたことに応答して前記笛を作動させるために、空気を中央ブラダー７から笛３１に逃がす圧力に設定されている。
【００５７】
使用時、タックル練習装置１は、ハーネス６によってタックル練習装置１を引っ張る人間にタックル練習装置１が取り付けられた状態で、使用の準備ができている。ハーネス６が取り付けられた人は、スレッド４を、従ってダミー要素３を、競技場のピッチでダミー要素３がスレッド４から上方に延長している状態で引っ張りながら、前記ピッチを走り始める。ここで、タックルを練習したい別のプレーヤーが、競技場のピッチで引っ張られているダミー要素３に向かって走り、ダミー要素３をタックルする。前記プレーヤーがダミー要素３をエンゲージ（engage）即ち捉えると、ダミー要素３が直ぐにスレッド４から外れ、それによりスレッド４を引いている人に影響を与えない。ダミー要素３が、腰の高さ位置１４より下にありかつ中央ブラダー７の下部２９に隣接する２つの下部周辺ブラダー１０の周囲でタックルされると、笛３１が作動して、ダミー要素３が正しくタックルされたことが示される。
【００５８】
次に図９乃至図１２を参照すると、全体として参照符号４０で表示される本発明の別の実施例によるタックル練習装置が示されている。タックル練習装置４０は、実質的にタックル練習装置１に類似しており、類似の構成要素には同じ参照符号が付されている。装置４０と装置１との主な相異点は、ダミー要素３の中央ブラダー７及び上部４２の構造にある。本発明のこの実施例では、中央ブラダー７が第２ベースブラダー１６から上方に延長しているが、腰の高さ位置で終わっている。ダミー要素３の上部４２が、対象となる人の上部胴体及び頭部を表したものを形成する単一の可膨張式上部ブラダー４３により形成されている。上部ブラダー４３は、給入（inflating）ポート４４を介して空気で膨張させることができる。更に、本発明のこの実施例では、笛３１に類似する１対の笛４５が、下部周辺ブラダー１０の給入ポート１１のそれぞれに１つずつ配置されている。笛４５は、ダミー要素３に２つの下部周辺ブラダー１０のいずれか又は両方についてその周囲で正しいタックルがなされることによって作動する。その他の点では、タックル練習装置４０はタックル練習装置１に類似しており、その使い方も同様に類似している。
【００５９】
図１３及び図１４を参照すると、本発明の別の実施例によるタックル練習装置のダミー要素５０が示されている。タックル練習装置５０は、図１〜図８及び図９〜図１２に関連して記載されるタックル練習装置１及び４０に実質的に類似しており、類似の構成要素は同じ参照符号で識別されている。しかしながら、本発明のこの実施例では、ダミー要素５０のみが記載されている。本発明のこの実施例によるタックル練習装置のスレッド４及びロープ５は、ハーネス６と同様にタックル練習装置１のそれらに類似している。
【００６０】
本発明のこの実施例では、４つの独立して膨張可能な下部周辺ブラダー１０が腰の高さ位置１４より下に設けられ、中央ブラダー７の周囲を全周に亘って延長している。それぞれの下部周辺ブラダー１０には対応する笛３１が設けられており、これらの笛は、腰の高さ位置１４より下で正しくタックルされたダミー要素５０によって同様に作動する。
【００６１】
更に、本発明のこの実施例では、第１ベースブラダー１５に、第１ベースブラダー内の水の重さを表示する目盛盤５４を有するプラスチック材料の透明窓５２が設けられ、それにより、ベース要素９の第１ベースブラダー１５内の水によって提供されるバラスト重さを目盛り５４から即座に読み取ることができるようになっている。中央ブラダー７は、第２ベースブラダー１６から上方に延長し、タックル練習装置４０の中央ブラダー７がそのダミー要素３の腰の高さ位置１４で終わっているのと同様にして、腰の高さ位置１４で終わっている。
【００６２】
弾性材料、通常は連続気泡又は独立気泡プラスチック材料のパッド５５が、ダミー要素５０の対向する各側部に取り付けられている。パッド５５は、ダミー要素３に腰の高さ位置１４に隣接しかつ膝の高さ位置５６に隣接して配置されている。ポーチ５７が、ラグビーボールを保持するために、上部ブラダー４３により画定される上部胴体の正面に隣接して上部ブラダー４３の正面に配置されている。
【００６３】
一般に、パッド５５は、ダミー要素がより実際的に人間に相当するように人のより強固な骨格構造の効果を生じさせるために、前記可膨張式ブラダーよりも硬くかつ強固な材料で形成することができる。最初、プレーヤーは前記タックル練習装置をそれにパッド５５を付けないで使用し、そのタックル能力がより熟達するに連れて、パッド５５を前記ダミー要素に取り付けることが考えられる。また、硬さ及び剛性の程度が異なるパッドを提供し、プレーヤーのタックルが上達するに連れて、使用するパッドの硬さ及び剛性の程度を次第に強くすることが考えられる。
【００６４】
その他の点において、この実施例のタックル練習装置のダミー要素５０は、タックル練習装置１及び４０に実質的に類似しており、その使い方も同様に、タックル練習装置１及び４０のそれに類似している。
【００６５】
次に図１５乃至図１７を参照すると、ランナー及び／又はスプリンター（短距離ランナー）を訓練する際に使用するための、全体として参照符号７０で表示される本発明によるスレッドが示されている。スレッド７０は、図１乃至図８に関連して説明したタックル練習装置１のスレッド４にかなり類似する可膨張式接地要素７１を備える。本発明のこの実施例において、接地要素７１は円環体の形態をなし、仕切要素７４により分割されて下部第１チャンバー７５と上部第２チャンバー７６とを形成する環状中空内部領域７３を画定している。下部第１チャンバー７５は、本発明のこの実施例において水であるバラスト媒体を受け入れるようになっており、上部第２チャンバー７６は空気で膨張させるようになっている。接地要素７１は、仕切要素７４と同様に柔軟なプラスチック材料で形成され、仕切要素７４は、接地要素７１の材料にその対向する各側縁に沿ってシール可能に固定されており、それによって第１及び第２チャンバー７５，７６が互いに分離されている。第１チャンバー７５を水で膨張させるために第１チャンバー７５内にバラスト媒体即ち水を収容するために、第１ポート７９が第１チャンバー７５に設けられている。第２チャンバー７６を膨張させるためにその中に空気を収容するために、第２ポート８０が第２チャンバー７６に設けられている。
【００６６】
第１チャンバー７５内のバラスト水の量を表示するための表示手段は、接地要素７１の材料にある第１チャンバー７５への開口８２をシール可能に閉じる柔軟な透明プラスチック材料の検査窓８１を備える。検査窓８１の目盛り８４が、第１チャンバー７５内のバラスト水の量を表示するゲージ（計量器）８３を形成している。バンド８５が接地要素７１の周囲を延長し、リガチャー即ちロープ８６を接地要素７１に連結している。ロープ８６はその末端に、ランニング又はスプリント走の訓練をするためにスレッド７０を使用しようとする人の腰に固定するためのハーネス８７を有する。ハーネス８７の留め具８８によって、ハーネス８７はランニング又はスプリント走をする人の腰の周りに固定される。
【００６７】
使用時、第１チャンバー７５は、接地要素７１が所望の重さになるように、適当な量のバラスト水を充填する。第１チャンバー７５へのバラスト水の充填が完了すると、中空内部領域７３全体を適当な圧力まで膨張させるように、第２チャンバー７６を空気で膨張させる。仕切要素７４は、第１及び第２チャンバー７５，７６の容積の変化を容易にするべく、対向する側縁７７，７８間の幅を有する。第１チャンバー７４にバラスト水を充填する間、第１チャンバー７５内の水量は検査窓８１の目盛り８４から測定される。
【００６８】
接地要素７１がバラスト水を充填しかつ空気で所望の圧力に膨張させて所望の重量を有する状態で、ランニング又はスプリント走の訓練をしようとする人の腰の周りにハーネス８７が固定され、次にこの人は、その後にスレッド７０を、接地要素７１が地面に接する状態で引きずりながら、ランニング又はスプリント走を始める。
【００６９】
１回のトレーニングセッションにおいて、各ランニング又はスプリント走の間で、前記接地要素の第１チャンバー７５内のバラスト水の容積、従って重量を次第に増加させることが考えられる。また、接地要素７１の第１チャンバー７５内のバラスト水の重量を、ランニング又はスプリント走をする人の或るトレーニングセッションから次のセッションで漸次増加させることが考えられる。
【００７０】
前記スレッドが必要でない場合には、バラスト水を第１チャンバー７５から排出させ、かつ第２チャンバー７６を収縮させる。これで、接地要素７１は、次に必要になるまで折り畳んでおくことができる。
【００７１】
ダミー要素３を中央ブラダー及び複数の周辺ブラダーを備えるものとして説明したが、これは望ましことではあるが、本質的なことではない。ある場合、前記ダミー要素は、中央ブラダーと、前記中央ブラダーの周囲を延長する、通常中央ブラダーの長さに亘って延長する唯１つの周辺ブラダーとを備えることができる。実際、ある場合には、前記ダミー要素が単一のブラダーだけの形態を有することが考えられる。しかしながら、前記ダミー要素の重心はできる限り低くすることが望ましく、その理由から、バラスト手段を前記ダミー要素のベースに又はその近くに設けることが望ましい。バラスト手段を、水で膨張させるのに適した可膨張式第１ベースブラダーからなるものとして説明したが、他のあらゆるバラスト手段を設けることができる。
【００７２】
言うまでもないことであるが、可膨張式スレッド以外の他のあらゆる適当なスレッドを設けることができる。
【００７３】
前記タックル練習装置を人間が引っ張るのに適したものとして説明したが、前記タックル練習装置が、人であろうと原動機であろうと、あらゆる原動手段によって引っ張るようにすることができることは当業者に明らかである。
【００７４】
前記ダミー要素を、膝を少し曲げた姿勢の人間の形で提供されるとして説明したが、前記ダミー要素は、真直ぐ立った人間の形や他のあらゆる所望の姿勢にすることができる。更に、前記ダミー要素を人間の形で提供することは望ましいが、前記ダミー要素は他のあらゆる形態で提供できると考えられ、ある場合には、前記ダミー要素を長い円筒状要素として提供することも考えられる。
【００７５】
前記スレッドを膨張可能にすることは望ましいが、これは本質的なことではない。
【００７６】
また、前記ダミー要素をスレッドにＶＥＬＣＲＯ（商標）により連結するものとして説明したが、他のあらゆる適当な連結手段を提供することができる。実際、ある場合には、前記ダミー要素の前記第１ベースブラダー内のバラストにより提供される重さは、他の如何なる連結手段も用いないで、前記ダミー要素を前記スレッド上に保持するのに十分なものにすることができる。また、前記ダミー要素の前記ベース要素及び前記スレッドの形状は、前記ダミー要素が前記ベースに解放可能に係合可能であるようにできると考えられ、その場合、前記ダミー要素を前記スレッドに連結するのに他の連結手段は全く必要としないと考えられる。
【００７７】
スレッド７０を、接地要素７１が第１及び第２チャンバー７５，７６を有し、その両方が環状の形態をなすように説明したが、前記第１及び第２チャンバーを設けることの利点が、第１チャンバー内のバラスト水の様々な容積に適応するべく第２チャンバーを膨張させ得ることにあるにも拘わらず、ある場合には、スレッド７０に単一のチャンバを設けることが考えられる。
【００７８】
前記スレッドを、人の腰に取り付けるために特定のタイプのハーネスを有するものとして説明したが、他のあらゆる適当なハーネスを用いることができ、前記スレッドが人間以外の原動手段に連結するようになっている場合には、一般に前記ハーネスは適当に採用することになる。
【００７９】
図１３及び図１４のダミー要素を、連続気泡又は独立気泡材料からなるバッド５５を有するものとして説明したが、パッド５５は、人間の骨格構造の硬さ及び剛性をシミュレートする適当な程度の硬さ及び剛性が得られる他のあらゆる適当な材料で形成することができる。
【００８０】
図１３及び図１４のタックル練習装置を、４つのパッド５５を有するものとして説明したが、パッド５５はあらゆる所望の数で提供し得ると考えられ、前記パッドはあらゆる適当な又は所望の位置に設けることができる。
【００８１】
また、図１乃至図１４のタックル練習装置のスレッドは、図１５乃至図１７のスレッドに置き換えることができると考えられる。
【００８２】
接地要素７１を円環体の形態で提供されるものとして説明したが、前記接地要素は、他のあらゆる形状にすることができ、例えば、円形プレート又は円板形状にし、該円形プレート又は円盤が平面で前記円形プレート又は円盤の平面での面積に実質的に類似する面積を有する中空内部領域を画定するようにすることができ、また前記中空内部領域を第１及び第２チャンバーに、前記第１チャンバーを前記第２チャンバーより下にして分割することができる。
【図１】
0005800322.tif 000002
【図２】
0005800322.tif 000003
【図３】
0005800322.tif 000004
【図４】
0005800322.tif 000005
【図５】
0005800322.tif 000006
【図６】
0005800322.tif 000007
【図７】
0005800322.tif 000008
【図８】
0005800322.tif 000009
【図９】
0005800322.tif 000010
【図１０】
0005800322.tif 000011
【図１１】
0005800322.tif 000012
【図１２】
0005800322.tif 000013
【図１３】
0005800322.tif 000014
【図１４】
0005800322.tif 000015
【図１５】
0005800322.tif 000016
【図１６】
0005800322.tif 000017
【図１７】
0005800322.tif 000018